(57)【要約】【課題】  本発明の目的は、以下のことが可能な印刷システムにおけるプリンタドライバの設定情報の管理方式を提供することにある。（１）異なるＰＣ間における、同一ユーザに対するプリンタドライバの設定情報の明示的な流用・適用（２）使用するＰＣに依存しない、ユーザ単位の統一的なプリンタドライバの設定の提供・管理（３）故障、または誤操作によるＰＣ上のプリンタドライバの設定情報（ファイル）の損失からの容易な回復【解決手段】  本発名の印刷システムにおけるプリンタドライバの設定情報の管理方式は、以下を手段を提供することによる。（１）プリンタ内にプリンタドライバの設定情報を保持する（２）ユーザ単位でプリンタドライバの設定情報を管理する（３）必要なときにプリンタドライバの設定情報をユーザが使用するコンピュータに提供する（４）必要なときにユーザがプリンタドライバの設定情報をプリンタに登録する【選択図】          図１
2006053717.tif 000002
【特許請求の範囲】
【請求項１】
コンピュータとプリンタとから構成される印刷システムにおいて、
前記プリンタは、プリンタドライバに関する設定情報を保持する設定情報保持手段と、前記プリンタドライバに関する設定情報をユーザ毎に管理する設定情報管理手段と、前記プリンタドライバに関する設定情報を前記コンピュータに提供する設定情報提供手段と、前記コンピュータからのプリンタドライバに関する設定情報を登録保存する設定情報登録手段と、を備えていることを特徴とする印刷システムにおけるプリンタドライバの設定情報の管理方式。
【請求項２】
前記プリンタドライバに関する設定情報を、ファイル形式で取り扱うことを特徴とする請求項１記載の印刷システムにおけるプリンタドライバの設定情報の管理方式。
【請求項３】
前記プリンタドライバに関する設定情報を、ＸＭＬファイル形式で取り扱うことを特徴とする請求項２記載の印刷システムにおけるプリンタドライバの設定情報の管理方式。
【請求項４】
前記プリンタは、更に、ファイルサーバを備え、前記プリンタドライバに関する設定情報の提供を、前記ファイルサーバシステムを用いて行うことを特徴とする請求項２記載の印刷システムにおけるプリンタドライバの設定情報の管理方式。
【請求項５】
前記プリンタは、更に、ｗｅｂサーバを備え、前記プリンタドライバに関する設定情報の提供を、プリンタ内に存在するＷｅｂサーバシステムを用いて行うことを特徴とする請求項２記載の印刷システムにおけるプリンタドライバの設定情報の管理方式。
【請求項６】
前記プリンタドライバに関する設定情報に対するアクセス制御を、ユーザ毎に行うことを特徴とする請求項２記載の印刷システムにおけるプリンタドライバの設定情報の管理方式。
【請求項７】
前記プリンタドライバに関する設定情報の登録・変更・削除・取得を、前記コンピュータ上のプリンタドライバにより行うことを特徴とする請求項２記載の印刷システムにおけるプリンタドライバの設定情報の管理方式。
【発明の詳細な説明】
【技術分野】
【０００１】
本発明は、印刷システムにおけるプリンタドライバの設定情報の管理方式に関するものである。
【背景技術】
【０００２】
背景技術について、図面を参照して説明する。
【０００３】
図１２は、従来の印刷システムの概略図である。プリンタ１２０１、第１ＰＣ（パーソナルコンピュータ、以下ＰＣ）１２０３、第２ＰＣ１２０４とから構成される印刷システムにおいて、第１ＰＣ１２０３には、プリンタドライバ１２０８がインストールされている。プリンタドライバ１２０８は、アプリケーション・ソフト１２０９から受取ったデータを、プリンタ１２０１が処理可能なデータに変換して送信する。この際、ユーザは、プリンタドライバ１２０８を通して、様々なプリンタドライバの設定（印刷の品質、画像の処理方式、用紙選択、ページ割付、印刷部数など）を行い、印刷を実行する。これらプリンタドライバの設定情報は、第１ＰＣ１２０３上で設定情報（ファイル）１２１０、又はそれに準ずる方式で保存される。このような従来例として、例えば、特許文献１等がある。
【０００４】
しかしながら、この方式では、第２ＰＣ１２０４上でも同じ設定で印刷を行いたい場合、設定情報（ファイル）１２１０を第２ＰＣ１２０４に移動する操作を行い、これを元に再度、プリンタドライバの設定をし直さなければならない。このように、従来の技術では、上記のような状況ではプリンタドライバの設定情報の流用性が乏しかった。
【０００５】
また、プリンタドライバの設定情報の取り扱い方式ではないが、プリンタに関する設定情報を取扱う技術がある（例えば、特許文献２参照）。
【０００６】
以下、図１３を参照して説明する。
【０００７】
プリンタの設定情報をプリンタ側に登録する手段１３０１を備えている。また、プリンタの設定情報を変更・削除する手段１３０２を備えている。更にプリンタの設定情報を利用して印刷を行う手段１３０３を備えている。
【０００８】
しかしながら、この方法は、あくまでプリンタに対しての設定情報を取扱う手段であるため、プリンタ上に登録されている設定情報をＰＣ側に取得する手段１３０４が提供されておらず、このためＰＣ上で動作するプリンタドライバの設定情報に対しては、この方法は適用できない。
【０００９】
【特許文献１】特開２００３−２１８２７６号公報
【００１０】
【特許文献２】特開平７−１４１１３４号公報
【発明の開示】
【発明が解決しようとする課題】
【００１１】
従来の印刷システムにおけるプリンタドライバの設定情報の管理方式では、プリンタドライバの設定情報を夫々のＰＣ上で管理してため、次のような課題がある。
（１）プリンタドライバの設定を行ったＰＣとは異なるＰＣで、同じ設定で印刷したい場合、プリンタドライバの設定情報の明示的な流用または適用手段がないため、利便性に乏しい。
（２）同じユーザであっても、使用するＰＣ毎にプリンタドライバの設定が存在し、設定の統一性に乏しい。
（３）ＯＳ（オペレーティングシステム）または、ＰＣの故障、または誤消去などによりプリンタドライバの設定情報（ファイル）を損失してしまった場合、設定をもとの状態に回復することが難しい。
（４）引用文献２のように、プリンタに対する設定情報を共用・流用する手段は存在していたが、これをプリンタドライバの設定情報の共用・流用に適用することができない。
【００１２】
本発明の目的は、上記の課題を解決した印刷システムにおけるプリンタドライバの設定情報の管理方式を提供することにある。
【課題を解決するための手段】
【００１３】
上記課題を解決するため、本発明では、コンピュータとプリンタとから構成される印刷システムにおいて、前記プリンタは、プリンタドライバに関する設定情報を保持する設定情報保持手段と、前記プリンタドライバに関する設定情報をユーザ毎に管理する設定情報管理手段と、前記プリンタドライバに関する設定情報を前記コンピュータに提供する設定情報提供手段と、前記コンピュータからのプリンタドライバに関する設定情報を登録保存する設定情報登録手段と、を備えていることを特徴とする。
【００１４】
また、前記プリンタドライバに関する設定情報を、ファイル形式で取り扱うことを特徴とする。
【００１５】
また、前記プリンタドライバに関する設定情報を、ＸＭＬファイル形式で取り扱うことを特徴とする。
【００１６】
また、前記プリンタは、更に、ファイルサーバを備え、前記プリンタドライバに関する設定情報の提供を、前記ファイルサーバシステムを用いて行うことを特徴とする。
【００１７】
また、前記プリンタは、更に、ｗｅｂサーバを備え、前記プリンタドライバに関する設定情報の提供を、プリンタ内に存在するＷｅｂサーバシステムを用いて行うことを特徴とする。
【００１８】
また、前記プリンタドライバに関する設定情報に対するアクセス制御を、ユーザ毎に行うことを特徴とする。
【００１９】
さらに、前記プリンタドライバに関する設定情報の登録・変更・削除・取得を、前記コンピュータ上のプリンタドライバにより行うことを特徴とする。
【発明の効果】
【００２０】
本発明により、使用するプリンタ内にプリンタドライバの設定が保存されるため、同一ユーザが使用するＰＣが異なる場合にも、常に同一のプリンタドライバ設定が容易に使用可能となる。
【発明を実施するための最良の形態】
【００２１】
以下、本発明の実施形態について添付図面を参照して説明する。
【実施例１】
【００２２】
図１は、本発明による印刷システムの概要を示す図である。
【００２３】
１０１はプリンタ、１０２は第１ＰＣ、１０３は第２ＰＣ、１０４はネットワーク、１０５はエンジン、１０６は操作パネル、１０７はコントローラ、１０８はネットワークＩ／Ｆ制御部、１０９は操作パネル制御部、１１０はエンジン制御部、１１１はエミュレーション部、１１２は設定情報サーバ、１１３は設定情報（マスタ）、１１４はプリンタドライバ、１１５はアプリケーションソフト、１１６は設定情報（マウント）である。
【００２４】
プリンタ１０１は、エンジン１０５、操作パネル１０６、コントローラ１０７より構成される。第１ＰＣ１０２は、プリンタドライバ１１４、アプリケーションソフト１１５、設定情報（マウント）１１６を有する。また、コントローラ１０７は、ネットワークＩ／Ｆ制御部１０８、操作パネル制御部１０９、エンジン制御部１１０、エミュレーション部１１１、設定情報サーバ１１２、設定情報（マスタ）１１３を有する。
【００２５】
ここで、ユーザのログインからプリンタの設定情報を適用するまでの流れを説明する。
【００２６】
まず、ユーザが第１ＰＣ１０２にログインすると、プリンタドライバ１１４がネットワーク１０４を経由して、プリンタ１０１に対して設定情報（マスタ）１１３のマウントを要求する。
【００２７】
プリンタ１０１が設定情報の要求を受け付けると、設定情報サーバ１１２はユーザＩＤとパスワードにて認証を行い、設定情報（マスタ）１１３のマウントを許可する。
【００２８】
そして、プリンタドライバ１１４は設定情報（マスタ）１１３を第１ＰＣ１０２上にマウントして設定情報（マウント）１１６とする。
【００２９】
プリンタドライバ１１４は、設定情報（マウント）１１６を参照することにより、印刷の品質、画像の処理方式、用紙選択、ページ割付、印刷部数などをプリンタドライバの設定に反映させる。この時、実際には、設定情報サーバ１１２に対して、設定情報（マスタ）１１３の参照（ＲＥＡＤ）要求を行っていることになる。
【００３０】
また、ユーザが現在のプリンタドライバの設定を変更した場合、プリンタドライバ１１４は設定情報（マウント）１１６を変更する。この時、実際には、設定情報サーバ１１２に対して、設定情報（マスタ）１１３の更新（ＷＲＩＴＥ）要求を行っていることになる。
【００３１】
なお、ユーザがログアウトする場合、プリンタドライバは、設定情報サーバ１１２に対して、設定情報のアンマウント要求を行い、設定情報（マウント）１１６をアンマウントする。
【００３２】
図２に、上記の流れについて動作を模式的に示したものを示す。
（１）設定情報のマウント
２０１は設定情報のマウント動作を模式的に示したものである。通常、ユーザがログインした場合、プリンタドライバは、設定情報サーバに対して設定情報のマウントを要求する。設定情報サーバは、設定情報のマウントの要求を許可する。プリンタドライバは、設定情報のマウントを行う。
（２）設定情報の参照（ＲＥＡＤ）
２０２は設定情報の参照（ＲＥＡＤ）動作を模式的に示したものである。ユーザがプリンタドライバ上で設定情報を参照（ＲＥＡＤ）した場合、設定情報サーバに対して設定情報の参照（ＲＥＡＤ）が要求される。設定情報サーバは、設定情報の参照（ＲＥＡＤ）が要求されると、その情報をプリンタドライバに送信する。
（３）設定情報の変更（ＷＲＩＴＥ）
２０３は設定情報の更新（ＷＲＩＴＥ）動作を模式的に示したものである。ユーザがプリンタドライバ上で設定情報を更新（ＷＲＩＴＥ）した場合、設定情報サーバに対して設定情報の更新（ＷＲＩＴＥ）が要求される。設定情報サーバは、設定情報の更新（ＷＲＩＴＥ）が要求されると、設定情報を更新（ＷＲＩＴＥ）する。
（４）設定情報のアンマウント
２０４は設定情報のアンマウント動作を模式的に示したものである。ユーザがログアウトする場合、プリンタドライバは、設定情報サーバに対して設定情報のアンマウントを要求する。設定情報サーバは、設定情報のアンマウントの要求を許可する。プリンタドライバは、設定情報のアンマウントを行う。
【００３３】
図３は、設定情報のディレクトリ構成を模式的に表したものである。
【００３４】
３０１は設定情報のルートディレクトリ、３０２はｕｓｅｒＡ用のディレクトリ、３０３はｕｓｅｒＢ用のディレクトリ、３０４はｕｓｅｒＮ用のディレクトリ、３０５はｕｓｅｒＡ用の設定情報ファイル（設定１）、３０６はｕｓｅｒＡ用の設定情報ファイル（設定２）、３０７はｕｓｅｒＡ用の設定情報ファイル（設定Ｘ）である。
【００３５】
ｕｓｅｒＡに対してはｕｓｅｒＡ用のディレクトリ３０２、ｕｓｅｒＢに対してはｕｓｅｒＢ用のディレクトリ３０３というように、各ユーザ毎に対応するディレクトリが存在する。
【００３６】
また、ｕｓｅｒＡ用のディレクトリ３０２の下には、設定情報ファイル（設定１）３０５、設定情報ファイル（設定２）３０６、設定情報ファイル（設定Ｘ）３０７が存在する。これらの設定情報ファイルは、ユーザが任意に登録、参照、更新、削除が可能である。また、ユーザは、任意の数の設定情報ファイルを作成可能である。
【００３７】
図４は、設定情報ファイルの登録、参照、更新、削除の様子を模式的に表したものである。
【００３８】
４０１は設定情報ファイルの登録、４０２は設定情報ファイルの取得の参照、４０３は設定情報ファイル更新、４０４は設定情報ファイルの削除を表したものである。
【００３９】
それぞれ、設定情報ファイルの登録４０１は、ｕｓｅｒＡがプリンタドライバを通して設定情報ファイル（設定Ｘ）を新規に登録する様子を示し、設定情報ファイルの参照４０２は、ｕｓｅｒＡがプリンタドライバを通して設定情報ファイル（設定１〜Ｘ）を参照する様子を示し、設定情報ファイルの更新４０３は、ｕｓｅｒＡがプリンタドライバを通して設定情報ファイル（設定Ｘ）を更新する様子を示し、設定情報ファイルの削除４０４は、ｕｓｅｒＡがプリンタドライバを通して設定情報ファイル（設定Ｘ）を削除する様子を示している。
【００４０】
図５は、ユーザーがプリンタの設定情報プロパティを設定する際に、プリンタドライバによって表示される設定情報の設定画面である。
【００４１】
５０１は設定情報の設定画面、５０２は設定情報ファイルの表示ボックス、５０３はユーザーＩＤ入力ボックス、５０４はパスワード入力ボックス、５０５は取得方法選択ボックス、５０６は登録ボタン、５０７は取得ボタン、５０８は削除ボタンである。
【００４２】
設定情報ファイルの表示ボックス５０２には、ユーザの使用できる設定情報ファイルが表示される。ユーザＩＤ入力ボックス５０３は、ユーザＩＤを入力するためのボックスである。パスワード入力ボックス５０４はパスワードを入力するためのボックスである。取得方法選択ボックス５０５では、設定情報をログオン時に取得するかまたは、ログオン後、手動で取得（取得ボタン５０７押下による取得）するかを選択できる。登録ボタン５０６を押下することにより、現在のプリンタドライバの設定を設定情報ファイルとして登録することが可能となる。取得ボタン５０７を押下することにより、入力されたユーザＩＤと、パスワードを使用して、ログオン後に手動で設定情報を取得可能である。また、削除ボタン５０８を押下することにより、設定情報ファイルの削除を行うことが可能である。
【００４３】
図６は、図５の登録ボタン５０６が押下されたときに、プリンタドライバによって表示される設定情報ファイル登録画面である。
【００４４】
６０１は設定情報ファイル登録画面、６０２は設定情報ファイルの表示ボックス、６０３はファイル名入力ボックス、６０４はファイルの種類選択ボックス、６０５は登録ボタンである。
【００４５】
設定情報ファイルの表示ボックス６０２には、登録済みの設定情報ファイルが表示される。ファイルの種類選択ボックス６０４では、登録するファイルの種類を選択できる。登録するファイルの種類は通常、設定情報ファイル（＊．ｘｍｌ）を使用する。ファイル名入力ボックス６０３に、ファイル名を入力し、登録ボタン６０２を押下することにより、現在のプリンタドライバの設定を、設定情報ファイルを登録することが可能である。
【００４６】
図７は、図５の削除ボタン５０８が押下されたときに、プリンタドライバによって表示される設定情報ファイル削除画面である。
【００４７】
７０１は設定情報ファイル削除画面、７０２は設定情報ファイルの表示ボックス、７０３はファイル名入力ボックス、７０４はファイルの種類選択ボックス、７０５は削除ボタンである。
【００４８】
設定情報ファイルの表示ボックス７０２には、登録済みの設定情報ファイルが表示されている。ファイルの種類選択ボックス７０４では、削除するファイルの種類を選択可能である。
【００４９】
また、設定情報ファイルの表示ボックス７０２上で設定情報ファイルを選択後または、ファイル名入力ボックス７０３に、ファイル名を入力後、削除ボタン７０２を押下することにより、指定の設定情報ファイルを削除可能である。
【００５０】
図８は、図５の取得ボタン５０７が押下されたときに、プリンタドライバによって表示される設定情報ファイル取得画面である。
【００５１】
８０１は設定情報ファイル取得画面、８０２は設定情報ファイルの表示ボックス、８０３はファイル名入力ボックス、８０４はファイルの種類選択ボックス、８０５は取得ボタンである。
【００５２】
設定情報ファイルの表示ボックス８０２には、登録済みの設定情報ファイルが表示されている。ファイルの種類選択ボックス８０４では、取得するファイルの種類を選択可能である。
【００５３】
また、設定情報ファイルの表示ボックス８０２上で設定情報ファイルを選択後、または、ファイル名入力ボックス８０３にファイル名を入力後、取得ボタン８０２を押下することにより、指定の設定情報ファイルを取得することが可能である。
【００５４】
図９は、ユーザがプリンタのユーザ管理プロパティを設定する際にプリンタドライバによって表示されるユーザ管理の設定画面である。
【００５５】
９０１はユーザ管理の設定画面、９０２はプリンタのユーザ表示ボックス、９０３は追加ボタン、９０４は削除ボタン、９０５はプロパティボタンである。プリンタのユーザ表示ボックス９０２には、登録済みのユーザとそのグループの情報が表示されている。
【００５６】
追加ボタン９０３を押下すると、新規にユーザを登録することができる。プリンタのユーザ表示ボックス９０２上でユーザを選択後、削除ボタン９０４を押下することにより、指定のユーザを削除することができる。また、プリンタのユーザ表示ボックス９０２上でユーザを選択後、プロパティボタン９０５を押下することにより、指定のユーザのプロパティ情報が表示される。
【００５７】
図１０は、図９の追加ボタン９０３が押下されたときに、プリンタドライバによって表示される新しいユーザの追加画面である。
【００５８】
１００１は新しいユーザの追加画面、１００２はユーザ名入力ボックス、１００３はパスワード入力ボックス、１００４は説明入力ボックス、１００５は登録ボタンである。
【００５９】
ユーザ名入力ボックス１００２、パスワード入力ボックス１００３、説明入力ボックス１００４に、それぞれ、ユーザ名、パスワード、説明文を入力後、登録ボタン１００５を押下することにより、新しいユーザを追加可能である。
【００６０】
図１１は、設定情報ファイルの一例を示したものである。
【００６１】
設定情報ファイルは、ｘｍｌ形式で記述されている。設定情報ファイルの先頭では、ｘｍｌ宣言が記述されている。設定情報ファイルの中には、設定情報の項目がある。設定情報の中には、プリンタ情報、バージョン情報、レイアウト設定、用紙品質設定の各項目がある。
【００６２】
また、プリンタ情報の中にはプリンタ名の記述がある。バージョン情報の中には、プリンタドライバ名、オペレーティングシステム名、言語の記述がある。レイアウト設定の中には、印刷の向きの設定の記述がある。用紙品質設定の中には、用紙出力設定、グラフィックス、ドキュメントのオプション、プリンタの機能の各項目がある。用紙出力設定の中には、用紙サイズと部数の設定の記述がある。グラフィックスの中には、印刷品質の設定の記述がある。ドキュメントのオプションの中には、ハーフトーンと印刷の最適化の設定の記述がある。プリンタの機能の中には、印刷品質の設定の記述がある。
【００６３】
上記の各項目は、プリンタドライバの設定の項目と対応した記述となっている。
【００６４】
なお、本発明においては、パーソナルコンピュータ：ＰＣにて説明したが、これに限らず、ユーザが使用可能な端末であれば本発明を適用可能である。
【産業上の利用可能性】
【００６５】
本発明におけるプリンタドライバの設定情報の管理方式では、プリンタ側でプリンタドライバの設定情報を一元的に管理するため、以下のことに利用可能である。
（１）同一ユーザであり且つ、異なるＰＣ間での、プリンタドライバの設定情報の明示的な流用・適用可能である。
（２）使用するＰＣに依存しない、ユーザ単位の統一的なプリンタドライバの設定情報の提供・管理が可能となる。
（３）故障、または誤操作によるＰＣ上のプリンタドライバの設定情報の損失からの容易な回復が可能となる。
【図面の簡単な説明】
【００６６】
【図１】本発明による印刷システムの概略を示した説明図である。
【図２】本発明の実施例による設定情報のマウント動作を模式的に示した説明図である。
【図３】本発明の実施例による設定情報のディレクトリ構成を模式的に示した説明図である。
【図４】本発明の実施例による設定情報ファイルの登録、参照、更新、削除の様子を模式的に示した説明図である。
【図５】本発明の実施例によるプリンタドライバの設定情報設定画面を示す図である。
【図６】本発明の実施例によるプリンタドライバの設定情報ファイル登録画面を示す図である。
【図７】本発明の実施例によるプリンタドライバの設定情報ファイル削除画面を示す図である。
【図８】本発明の実施例によるプリンタドライバの設定情報ファイル取得画面を示す図である。
【図９】本発明の実施例によるプリンタドライバのユーザ管理の設定画面を示す図である。
【図１０】本発明の実施例によるプリンタドライバの新しいユーザの追加画面を示す図である。
【図１１】本発明の実施例による設定情報ファイルの一例を示す図である。
【図１２】従来の印刷システムのについての概略図である。
【図１３】従来公報の説明図である。
【符号の説明】
【００６７】
１０１はプリンタ、１０２は第１ＰＣ、１０３は第２ＰＣ、１０４はネットワーク、１０５はエンジン、１０６は操作パネル、１０７はコントローラ、１０８はネットワークＩ／Ｆ制御部、１０９は操作パネル制御部、１１０はエンジン制御部、１１１はエミュレーション部、１１２は設定情報サーバ、１１３は設定情報（マスタ）、１１４はプリンタドライバ、１１５はアプリケーションソフト、１１６は設定情報（マウント）、３０１は設定情報のルートディレクトリ、３０２はｕｓｅｒＡ用のディレクトリ、３０３はｕｓｅｒＢ用のディレクトリ、３０４はｕｓｅｒＮ用のディレクトリ、３０５はｕｓｅｒＡ用の設定情報ファイル（設定１）、３０６はｕｓｅｒＡ用の設定情報ファイル（設定２）、３０７はｕｓｅｒＡ用の設定情報ファイル（設定Ｘ）、５０１は設定情報の設定画面、５０２は設定情報ファイルの表示ボックス、５０３はユーザＩＤ入力ボックス、５０４はパスワード入力ボックス、５０５は取得方法選択ボックス、５０６は登録ボタン、５０７は取得ボタン、５０８は削除ボタン、６０１は設定情報ファイル登録画面、６０２は設定情報ファイルの表示ボックス、６０３はファイル名入力ボックス、６０４はファイルの種類選択ボックス、６０５は登録ボタン、７０１は設定情報ファイル削除画面、７０２は設定情報ファイルの表示ボックス、７０３はファイル名入力ボックス、７０４はファイルの種類選択ボックス、７０５は削除ボタン、８０１は設定情報ファイル取得画面、８０２は設定情報ファイルの表示ボックス、８０３はファイル名入力ボックス、８０４はファイルの種類選択ボックス、８０５は取得ボタン、９０１はユーザ管理の設定画面、９０２はプリンタのユーザ表示ボックス、９０３は追加ボタン、９０４は削除ボタン、９０５はプロパティボタン、１００１は新しいユーザの追加画面、１００２はユーザ名入力ボックス、１００３はパスワード入力ボックス、１００４は説明入力ボックス、１００５は登録ボタンである。
【図１】
2006053717.tif 000003
【図２】
2006053717.tif 000004
【図３】
2006053717.tif 000005
【図４】
2006053717.tif 000006
【図５】
2006053717.tif 000007
【図６】
2006053717.tif 000008
【図７】
2006053717.tif 000009
【図８】
2006053717.tif 000010
【図９】
2006053717.tif 000011
【図１０】
2006053717.tif 000012
【図１１】
2006053717.tif 000013
【図１２】
2006053717.tif 000014
【図１３】
2006053717.tif 000015